(57)【要約】【課題】  自動二輪車において、カバー部材の大型化を招くことなく長尺物を収納できるようにし、エンジンの大型化、大容量化、また、必要な荷物の収納空間を確保することができるようにすることを可能にする。【解決手段】  前部収納部４０は、後方に向かって開口する後部開口部４１を備え、後部収納部５０は前部収納部の後部開口と対向する位置で、前方に向かって開口する前部開口部５３及び後方に向かって開口する後部開口部５５を備え、前部収納部の後部開口部と後部収納部の前部開口部との間で、運転者用シート２０の下方には、前部収納部の後部開口部と後部収納部の前部開口部とを連通する開放空間Ｓを設け、後部収納部と前記シート下方の開放空間と前記後部収納部との間に各開口部を貫通して長尺物７０を収容可能とした。【選択図】      図２
2006088727.tif 000002
【特許請求の範囲】
【請求項１】
運転者用シートの前方に前部収納部及び運転者用シートの後方に後部収納部を夫々備える自動二輪車において、
前記前部収納部は、後方に向かって開口する後部開口部を備え、前記後部収納部は該前部収納部の後部開口と対向する位置で前方に向かって開口する前部開口部及び後方に向かって開口する後部開口部を備え、
前記前部収納部の後部開口部と後部収納部の前部開口部との間で、運転者用シートの下方には、上記前部収納部の後部開口部と上記後部収納部の前部開口部とを連通する開放空間を設け、
前記後部収納部と前記シート下方の開放空間と前記後部収納部との間に前記各開口部を貫通して長尺物を収容可能とした、
ことを特徴とする自動二輪車。
【請求項２】
前記運転者用シートは上下位置調整、保持機構を備え、該運転者用シートは、複数の上下位置で選択的に調整、保持することにより、前記開放空間を選択的に出現させることができるようにしたことを特徴とする請求項１の自動二輪車。
【請求項３】
前記シートは前後にシートを有するタンデムシートであり、前記運転者用シートが下方位置で保持されたときに、該シートの後方の同乗者用シートに連なる斜め後方に立ち上がるバックレスト部分を有し、運転者用シートの上方への移動時に、該シートの後端部の移動軌跡が前記バックレスト部分に沿うようにしたことを特徴とする請求項２記載の自動二輪車。
【発明の詳細な説明】
【技術分野】
【０００１】
本発明は、長尺物を収納することが可能とした自動二輪車に関するものである。
【背景技術】
【０００２】
従来、長尺物を収納することを可能とした自動二輪車は知られている（例えば、特許文献１参照。）。
【特許文献１】特開２００４−２１０１０２公報
【０００３】
特許文献１の技術は、前後に乗員のシートを有するタンデム式シートの自動二輪車において、車体カバー内に、前部、後部のシート下方部位からシート前方部位かけて、長い貫通した荷室を前後方向に設け、ゴルフバッグや釣り竿等の長尺物を収納する構成である。
【０００４】
以上の従来技術は、シート下方から前方にかけて前後に長い荷物の収納部を設けるので、実質的にこれらを内蔵する車体カバーは大型化する。
また、従来の長尺物収納部の構造では、車体カバー内のシート下方を含む収納部の底を連続して設け、収納空間を確保するため、底板の位置、形状、に制約がある。
【０００５】
この結果、カバー内の収納部の底との位置と地上高との関係、或いは形状から、シート下方を含む収納部下方に配設されるエンジンの高さや大きさに制約を受け、エンジンの排気量を大きくすることは、エンジンの外形の大型化、動力伝達系の大型化を招くことから難しくなり、制約を受けることとなる。
また、収納部の底との干渉を回避するため、エンジンをさほど大型化しなくても、シリンダを横置きとする水平エンジンを選択する等の必要がある等、搭載するエンジンの形式も制約を受ける。
【０００６】
一方、エンジンを大型化した場合、上記した収納部の底は高い位置となり、この結果、収納部の容積や形状に制約を受ける。
また、シート下方を含んでこれの下方から前方にかけて荷物の収納部を設けるので、必然的にシートは高い位置となり、シート高さを下げることには限界がある。
【発明の開示】
【発明が解決しようとする課題】
【０００７】
本発明は、以上の従来技術の課題に鑑みなされたもので、カバー部材の大型化を招くことなく長尺物を収納できるようにし、エンジンの大型化、大容量化、また、必要な荷物の収納空間を確保することができるようにした自動二輪車を提供することを課題とする。
【課題を解決するための手段】
【０００８】
請求項１に係る発明は、運転者用シートの前方に前部収納部及び運転者用シートの後方に後部収納部を夫々備える自動二輪車であって、前記前部収納部は、後方に向かって開口する後部開口部を備え、前記後部収納部は該前部収納部の後部開口と対向する位置で、前方に向かって開口する前部開口部及び後方に向かって開口する後部開口部を備え、前記前部収納部の後部開口部と後部収納部の前部開口部との間で、運転者用シートの下方には、上記前部収納部の後部開口部と上記後部収納部の前部開口部とを連通する開放空間を設け、前記後部収納部と前記シート下方の開放空間と前記後部収納部との間に前記各開口部を貫通して長尺物を収容するようにしたことを特徴とする。
【０００９】
請求項２に係る発明は、請求項１において、前記運転者用シートは上下位置調整、保持機構を備え、該運転者用シートは、複数の上下位置で選択的に調整、保持することにより、前記開放空間を選択的に現出させることができるようにしたことを特徴とする。
【００１０】
請求項３は、請求項２において、前記シートは前後にシートを有するタンデムシートであり、前記運転者用シートが下方位置で保持されたときに、該シートの後方の同乗者用シートに連なる斜め後方に立ち上がるバックレスト部分を有し、運転者用シートの上方への移動時に、該シートの後端部の移動軌跡が前記バックレスト部分に沿うようにしたことを特徴とする。
【発明の効果】
【００１１】
請求項１に係る発明では、前部収納部と後部収納部との間に運転者用シートを配設し、該シートの下方に前部収納部と後部収納部とを連通させる開放空間を設けたので、前部収納部、運転者用シート下方の開放空間、後部収納部を通して長尺物を収納することができ、以上の長尺物収納部を一つの長尺な収納空間としてカバー部材に形成する必要が無く、カバー部材が大型化することなく、長尺物収納部を形成することができる。
また、運転者用シートの下方が開放空間なので、運転者用シート下方は従来のように底等で制約されることが無く、従って運転者用シート下方の開放空間が大きく採れ、この下方に配設されるエンジンは外形の大型化が許容されることとなり、排気量の大きいエンジン、これの動力伝達装置を搭載することが可能となる。
更に、カバー部材の大型化が避けられる結果、カバー部材の重量低減やコスト上も有利であり、また、カバー部材の形状等も任意となり、デザインの自由度も向上する。
【００１２】
請求項２に係る発明では、請求項１において、運転者用シートは上下位置調整、保持機構を備え、該運転者用シートは、複数の上下位置で選択的に調整、保持することにより、開放空間を選択的に現出することができるようにしたので、請求項１の効果に加えるに、シートの高さを段階的に調整、設定することができ、シート高さの調整を、走行状況や運転者の嗜好に合わせて好ましいシートポジションに選定することができる。
また、シートは長尺物を収納しない状況では低い位置に設定して、前後の収納部に個々に荷物を収納することができる。そして、長尺物非収納状態で運転者用シートを通常の低い位置に保持し、長尺物収納時に運転者用シートを高位置に調節、保持すれば良く、便利である。
【００１３】
請求項３に係る発明では、請求項２において、シートは前後にシートを有するタンデムシートで、運転者用シートが下方位置で保持されたときに、該シートの後方の同乗者用シートに連なる斜め後方に立ち上がるバックレスト部分を有し、運転者用シートの上方への移動時に、該シートの後端部の移動軌跡がバックレスト部分に沿うようにしたので、請求項２の効果に加えるに、運転者用シートの低い位置では後部の同乗者用シートがバックレストとして座乗し易くし、運転者用シートの高い位置では運転者用シートと同乗者用シートとが繋がりが良く、外観的に好ましいシートが得られる。
【発明を実施するための最良の形態】
【００１４】
本発明を実施するための最良の形態を添付図に基づいて以下に説明する。なお、図面は符号の向きに見るものとする。
図１は、本発明に係る自動二輪車の側面図である。
自動二輪車１は、実施の形態では外観を構成する車体カバー類を中心として示した。車体カバー類で被覆される車体フレームやエンジン等を破線で示す。
車体フレーム２を覆う車体カバー３は、実施の形態では自動二輪車の外観を構成し、フロントフェンダを兼ね、前照灯等の灯機類を組み込んだ前部カバー４、左右のレッグシールド５、左右の低床式フロア６、中間カバー７、後部カバー８等からなる。
【００１５】
前部には、前輪９をフロントフォーク１０を介してハンドル１１により操行自在に支持されており、後部には後輪１３がリヤスイングユニット１２を介して車体側に揺動自在に支持されている。
車体２の中間部、具体的には車体カバー３の中間カバー７の上側には運転者用シート２０が配設され、運転者用シート２０の後方で後部カバー８の上側には同乗者用シート３０が連設されており、同乗者用シート３０の前端壁３１は前下傾し、運転者用シート２０のバックレストを構成し、該シート３０の後部には後上傾するバックレスト３２が起設されている。
【００１６】
以上の自動二輪車１の車体カバー３で囲まれる前部、具体的には、中間カバー７の前半部には前部収納部４０を内装、設置し、後部、具体的には、後部カバー８の内部で、後部の同乗者用シート３０の下方から後方にかけて後部収納部５０が内装、設置されている。
運転者用シート２０の下方には、エンジン等が配置されている。
以下にエンジン等の配置を図１で説明する。
【００１７】
図１において車体フレーム前部に配置された６０はラジエータ、６１は燃料タンク、６２はエンジン、６３は燃料噴射弁、６４はスロットルボディ、６５はエアクリーナケース、６６はマフラーであり、エンジン６２のシリンダ部６２ａは、運転者用シート２０の下方で前上傾する配置で位置しており、この後方に燃料噴射弁６３、スロットルボディ６４、はエアクリーナケース６５が配置されており、これらは運転者用シート２０下方に配置されている。
【００１８】
図２は、長尺物収容状態の説明的一部破断側面図である。
前部収納部４０の詳細は、図６、図７に示す通りである。図６は、前部収納部単体の縦断側面図で、閉蓋状態の図、図７は、同前部収納部単体の縦断側面図で、開蓋状態の図である。図２とこれらの図面を参照して説明する。
前部収納部４０はボックス状で、縦向きの前壁４０ａ、角度の浅い略Ｖ形の底壁４０ｂ、高さが低い後壁４０ｃ、底壁４０ｂと対向する上壁４０ｄ及び左右の側壁４０ｅ（図では片側が示されている）からなる。
【００１９】
上壁４０ｄの後半部には後方、且つ上方を向いた開口（後部開口）４１が形成され、開口４１には開閉自在な蓋板４２が設けられ、通常時は閉塞されている。
蓋板４２は先端部に凹段部状の係止縁４２ａを備え、閉蓋状態で開口４１に前端縁４１ａに係止して閉蓋状態を保持し、蓋板４２の後端部４２ｂにはボス部４３を設け、これを後壁４０ｃの開口部の上端部に設けたピン４４に枢着し、ピン４４を支点として蓋板４２を収納部４０に対して回動自在に支持する。ピン４４とボス部４３との間にトーションばね４４ａを介在させ、蓋板４２を図６のように閉じ方向に弾圧付勢する。
【００２０】
以上により収納部４０内に、前後方向に長さを有し、上下方向並びに左右方向に容量を有する周囲から画成され、蓋板４２で開閉自在な収納空間４５を形成する。
収納部４０は、図６のように不使用時は蓋板４２が上がって閉蓋状態にあり、蓋板４２を上から押圧することでピン４４を支点として図の反時計方向に回動し、開口４１を解放する。この状態を図７で示した。
【００２１】
ところで、前部収納部４０の上壁４０ｄの前半部には上向きの開口部４８を設け、これを前部蓋板４６で開閉自在に閉塞し、前部蓋板４６は、前端部をピン４６ａで枢支し、前部蓋板４６は、後端部下面に設けた係止部４６ｂを上壁４０ｄの前後の開口部４８，４１間のブリッジ片４０ｅに設けた回動ロック機構４７の係止片４７ａに係合させて閉蓋状態を保持する。回動ロック機構４７は、車両のキーを用いて回動するシリンダー部を有し、この回動により、係止片４７ａが回動して係止部が離脱し、前部蓋板４６は開放可能となる。
一方、後部蓋板４２は、回動ロック機構４７の他の係止片４７ｂに係合させて閉蓋状態を保持し、シリンダー部を押し回すことにより、シリンダーと他の係止片が嵌合して回動し、後部蓋板４２を開放可能になるように構成されている。
【００２２】
後部収納部５０の詳細は図３に示すとおりで、図３は、後部収納部の縦断側面図である。図２と、この図面を参照して後部収納部を説明する。
図２に詳細に示したように、後部収納部５０は前後方向に長さを有し、起立する低い前壁５０ａ，後輪１３の上方に位置してこれの外形に倣った底壁５０ｂ、前壁５０ａよりも高位の後壁５０ｃ、左右の側壁５０ｄ（図では片側が示されている）からなる。
【００２３】
ところで、後部収納部５０の上面は上部開口５２によって開口され、上部開口５２は同乗者用シート３０の底板３３で上からこれを閉塞し、上部開口５２の蓋を構成し、実施の形態では同乗者用シート３０を、ロック機構３４を施・解錠することで、白抜き矢印のように上下させ、上部開口５２を開閉することができる。
【００２４】
後部収納部５０の前壁５０ａの上方部分とシート底板３３の前端部との間に前向きに開口する前部開口５３を形成し、これを前部蓋板５４で開閉自在に閉塞する。
前部蓋板５４は裏面の中間上部に左右にボス部５４ａを設け、ボス部５４ａを側壁５０ｄの前部開口５３周辺部にピン５４ｂを介して枢着し、閉じ方向にトーションばねで弾圧付勢し、ピン５４ｂを支点として回動し、鎖線ａで開蓋状態を示した。
尚、実施の形態では、前部開口５３の下辺部及び両側辺部に受け辺部５０ｅを設け、一方前部蓋板５３の周縁部にシール材５３ａを貼着し、閉蓋時のシール性を高めた。
【００２５】
後部収納部５０の後壁５０ｃの上半部には後部開口５５を設け、これを後部蓋板５７で開閉自在に閉塞する。
後部蓋板５７の後方には後部カバー８の後部開放部を開閉する後部リッド１５を開閉自在に備え、該リッド１５は車体フレームの後部のシートレール２ａの後端部に起設したブラケット２ｂの後上端ボス部２ｃにボス部１５ａ、ピン１５ｂで枢着されている。後部リッド１５は、ピン１５ｂを支点として図の半時計方向に回動し、鎖線ｃで示すように後部カバー８の後端部を開放する。
【００２６】
以上の後部リッド１５の内面と後部開口５５を閉塞する後部蓋板５７の外面とを離間した２組のリンク５８，５９で連結し、後部リッド１５を鎖線ｃのように開放した際、リンク５８，５９を介して後部蓋板５７は矢印ｄのように回動し、後部リッド１５の開放に連動して鎖線ｅのように開放し、後部開口５５を開放する。
ところで、上部開口５２、前部開口５３、後部開口５５として説明したが、実施の形態では、ではこれらの開口は後部収納部５０の上部前後にわたり一体に形成されており、上をシート３０の底板３３で、前部を前部蓋板５４で、後部を後部蓋板５７で夫々閉塞するようにした。
以上により、周囲から画成された開閉自在な収納空間５６を形成する。
【００２７】
運転者用シートは前後の収納部４０，５０の間に配設され、前後の収納部４０，５０間には、図２で示したように、運転者用シートと前後、左右の寸法が略々同等の開放空間Ｓを設ける。
図４及び図５は、運転者用シートの上下調整機構を示す説明的側面図で、図４は該シートの低位置状態、図５は該シートの高位置状態を示す。これらの図と図２を参照して説明する。
【００２８】
図４に示すように、車体フレームの一部である左右のシートレール２ａの前半部上に係止山部２２ｅを備える支持部材２２を設置する。
支持部材２２の係止山部２２ｅには、前部から頂部にかけて実施の形態では低位置から高位置で４段の係止部２２ａ〜２２ｄを備える。段数は任意である。
【００２９】
一方、運転者用シート２０の底板２１の内側の両側部２１ａには、リンク２４，２５の上端部をピン２４ａ，２５ａで枢着し、リンク２４，２５の下端部をピン２４ｂ，２５ｂで支持部材２２に枢着し、リンク２４，２５で平行リンク機構を構成する。
運転者用シート２０側、図示例では底板２１の側部２１ａに回動自在に係止爪２３を設け、これの先端部を支持部材２２の係止山部２２ｅの係止部２２ａ〜２２ｄの任意のものと係合する。係止爪２３は、トーションばね２３ａを介して係止する方向に付勢されている。
係止爪２３はピン２３ｂを中心として回動可能に支持されており、シート２０の側部２１ａに揺動可能に設けた操作杆２３ｃの操作で操作ケーブル２３ｄを介して係止部２２ａ〜２２ｄの係合を解除するように構成されている。
【００３０】
図４は、支持部材２２の係止山部２２ｅの最も低い係止部２２ａに、係止爪部材２２が係合している状態を示し、リンク２４，２５は前上傾状態で平行して運転者用シート２０をこの位置で保持する。
図１は、運転者用シート２０が最も低い位置に位置し、この状態ではシート下方の開放空間Ｓは、低位の運転者用シート２０の底板２１下方の空間となり、空間の高さは小さい。この状態では、実質的には前後の収納部４０，５０が、前後の物入れとして個々に利用することができる。
【００３１】
図５は、運転者用シート２０を最高位状態に保持させた状態を示す。リンク２４，２５は平行して略々直立状態で、係止爪部材２３は、支持部材２２の係止山部２２ｅの最も高い係止部２２ｄに係止されていて、最高位状態を保持する。
これにより運転者用シート２０の下方には、大きな開放空間Ｓが形成さることとなり、この運転者用シート２０下方の開放空間Ｓは、前後の収納部４０，５０の開口部４１，５３を前後に貫通して連通する状態となる。
【００３２】
以上のように運転者用シート下方に形成される開放空間Ｓの下方には、図１で理解し得るように機能部品を配置することができる。
実施の形態では、エンジン６２のシリンダ部６２ａ、燃料噴射弁６３、スロットルボディ６４、エアクリーナケース６５が配置されている。
【００３３】
ところで、上記した支持部材２２の係止山部２２ｅの各係止部２２ａ〜２２ｄであるが、係止爪部材２３による係止部分は任意であり、長尺物を搭載しない状態では、運転者の運転ポジション、体格等で係止部ｂ，ｃを選択することも可能であり、長尺物を搭載しない状態で最高位の係止部２２ｄに係止爪部材２３を係止し、シート高さを高くして運転しても良い。
以上の機構で上下位置調整、保持機構を構成する。
【００３４】
ところで、図１に鎖線ｆで示したように、図５のように運転者用シート２０を上方に移動させた際、運転者用シート２０の後端面２０ａが同乗者用シート３０の前端縁のバックレスト部分３２に、その移動軌跡が沿うように移動し、運転者用シート２０の上動時に違和感がなく、運転者用シートの高い位置における運転者用シートと同乗者用シートとが繋がりが良く、外観的に好ましいシートが得られる。
【００３５】
図１は、運転者用シート２０が再下位の状態を示し、この状態では前後の収納部４０，５０は独立して物入れとして使用することができる。本実施例ではシート２０の下方に収納部を設けていないので、収納部の底板等を設ける必要がなく、エアクリーナー等の吸気系、或いはスロットルボディやインジェクター等の燃料供給系、さらにはエンジン等を可及的に上方に配置させることができ、エンジンの大型化、大容量化を図ることができる。
【００３６】
図２は、運転者用シート２０を最高位まで上昇させた状態を示し、図５の状態を示している。
この状態では、運転者用シート２０の下方に大きな開放空間Ｓが形成されることとなり、この開放空間Ｓは、前記した通り前後の収納部４０，５０の開口部４１，５３を前後の貫通して連通する状態可能な空間となる。
後部リッド１５を開けることで後部収納部５０の後部蓋板５７は開き、後部開口５５は開放される。
【００３７】
爾後、長尺物７０を後部開口５５から前方に差し込むように挿入する。長尺物７０は、後部収納部５０内を通り、前部蓋板５４を図３の鎖線ａのように回動させて跳ね上げ、開放された前部開口５３を通り、運転者用シート２０下方の開放空間Ｓを通り、前方に臨む前部収納部４０の蓋板４２を押圧して開口部４１を開放し、前部収納部４０内に長尺物７０の前部を収容する。
このように、長尺物７０を収容する場合には、運転者用シート２０下方の開放空間Ｓ、前後の収納部４０，５０を貫通させて連通させ、収容する。
【産業上の利用可能性】
【００３８】
本発明は、必要に応じて長尺物を収容する自動二輪車に好適である。
【図面の簡単な説明】
【００３９】
【図１】本発明に係る自動二輪車の側面図である。
【図２】長尺物収容状態の説明的一部破断側面図である。
【図３】後部収納部の縦断側面図である。
【図４】運転者用シートの上下調整機構を示す説明的側面図で、シートの低位置状態を示す図である。
【図５】運転者用シートの上下調整機構を示す説明的側面図で、シートの高位置状態を示す図である。
【図６】前部収納部単体の縦断側面図で、閉蓋状態の図である。
【図７】前部収納部単体の縦断側面図で、開蓋状態の図である。
【符号の説明】
【００４０】
１…自動二輪車、  ２０…運転者用シート、  ３０…同乗者用シート、  ３２…同乗者用シートのバックレスト部分、  ４０…前部収納部、  ４１…前部収納部の後部開口部、  ５０…後部収納部、  ５３…後部収納部の前部開口部、  ５５…後部収納部の後部開口部、  ２２〜２５…上下位置調整、保持機構、  Ｓ…開放空間。
【図１】
2006088727.tif 000003
【図２】
2006088727.tif 000004
【図３】
2006088727.tif 000005
【図４】
2006088727.tif 000006
【図５】
2006088727.tif 000007
【図６】
2006088727.tif 000008
【図７】
2006088727.tif 000009